(57)【要約】【課題】  既存の基礎石と載置した柱との連結を其のままにした状態で補強をすることができる構造を提供せんとする【解決手段】  基礎石２に近接して布コンクリート６を敷設し、布コンクリート６に固定したアンカーボルト７でべース金具８を設置する。基礎石２に立設した柱１を抱持金具３の抱持部４でパッキン材１１を介在させて抱持すると共に、抱持金具４に二枚組の並行腕板５、５を柱の周囲に複数組突設し、各並行腕板５、５と対応して配設した前記ベース金具８の二枚組の並行受板９、９とを一直線上に突合する。突合した両並行板間にパッキン材１１を挟装し、更に突合した両並行板の外側面に連結補強板１０を当接し止着具１１で締着して抱持金具４とベース金具８を連結固定したことを特徴とする【選択図】  図１
2009068307.tif 000002
【特許請求の範囲】
【請求項１】
基礎石に近接して布コンクリートを敷設し、布コンクリートに固定したアンカーボルトでべース金具を設置し、基礎石に立設した柱を抱持金具の抱持部でパッキン材を介在させて抱持すると共に、抱持金具に二枚組の並行腕板を柱の周囲に複数組突設し、各並行腕板と対応して配設した前記ベース金具の二枚組の並行受板とを一直線上に突合し、突合した両並行板間にパッキン材を挟装し、更に突合した両並行板の外側面に連結補強板を当接し止着具で締着して抱持金具とベース金具を連結固定したことを特徴とする基礎石に立設した柱の補強装置。
【請求項２】
ベース金具の並行受板を、並行受板を突設した受金具をベース金具に上下位置決め自在に当着して形成したことを特徴とする請求項１記載の基礎石に立設した柱の補強装置。
【請求項３】
並行腕板及び並行受板が、垂直面に位置することを特徴とする請求項１又は２記載の基礎石に立設した柱の補強装置。
【請求項４】
複数の抱持金具の抱持部で柱を抱持するものとし、抱持部の端部に、角柱に対して直角方向に折り曲げた腕板を形成し、この腕板と隣設する他方の抱持金具の端部の腕板とで、並行腕板を構成することを特徴とする請求項１乃至３のいずれか１項に記載の基礎石に立設した柱の補強装置。
【請求項５】
丸柱に対して遠心方向に折り曲げたことを特徴とする請求項４記載の基礎石に立設した柱の補強装置。
【請求項６】
複数の抱持金具の抱持部で柱を抱持するものとし、抱持部の端部に、隣設する他方の抱持金具の端部と互いに連結する外側への折曲片を設け、折曲片同士を当接して止着具で連結したことを特徴とする請求項１乃至３のいずれか１項に記載の基礎石に立設した柱の補強装置。
【発明の詳細な説明】
【技術分野】
【０００１】
本発明は基礎石に立設した柱の補強装置に関するものであり、特に、既存の寺院や古民家の地震に対する強度補強に適するものに関する。
【背景技術】
【０００２】
寺院や古民家等では柱と土台がアンカーボルト等で固定されていないものが多く、基礎石の上に単に載置した状態で支承されているのである。
したがって、近時頻繁に発生する地震による振動で土台から柱がずり落ちて建物の崩壊の要因となっているのである。
【０００３】
そこで、耐震構造に補強する技術が提案されており、例えば特開２００１−２００６４２では、既設の基礎の隅角に強固な部材を地中に深く埋め、これをコンクリートで固め、隅角を両側から挟むようにし、さらに補強部材と建物とを連結する構造部材により基礎と家自体を強化したものである。
また、特開平１０−８７６４は、文化建造物等を釘やボルトなどで補強して傷つけることなく地震から保護することを目的としたものである。
【特許文献１】特開２００１−２００６４２
【特許文献２】特開平１０−８７６４
【発明の開示】
【発明が解決しようとする課題】
【０００４】
上記の各発明を含め従来の発明は、地震の揺れに対して布基礎と柱の連結を強固とすることや、揺れに同調して振動を吸収することを主眼としたものが目に付くのである。
しかし、基礎石に立設した柱において、不定形の基礎石と載置した柱とを直接的に連結して一体化する簡易な構成を提供するは困難であった。
そこで、本発明は、既存の基礎石と載置した柱との連結を其のままにした状態で補強をすることができる構造を提供せんとするものである。
【課題を解決するための手段】
【０００５】
本発明の請求項１に係る基礎石に立設した柱の補強装置は、基礎石に近接して布コンクリートを敷設し、布コンクリートに固定したアンカーボルトでべース金具を設置し、基礎石に立設した柱を抱持金具の抱持部でパッキン材を介在させて抱持すると共に、抱持金具に二枚組の並行腕板を柱の周囲に複数組突設し、各並行腕板と対応して配設した前記ベース金具の二枚組の並行受板とを一直線上に突合し、突合した両並行板間にパッキン材を挟装し、更に突合した両並行板の外側面に連結補強板を当接し止着具で締着して抱持金具とベース金具を連結固定したことを特徴とするものである。
【０００６】
本発明の請求項２に係る基礎石に立設した柱の補強装置は、上記ベース金具の並行受板を、並行受板を突設した受金具をベース金具に上下位置決め自在に当着して形成したことを特徴とするものであり、請求項３は、上記並行腕板及び並行受板が、垂直面に位置することを特徴とする基礎石に立設した柱の補強装置としたものである。
【０００７】
本発明の請求項４に係る基礎石に立設した柱の補強装置は、前記発明において、複数の抱持金具の抱持部で柱を抱持するものとし、抱持部の端部に、角柱に対して直角方向に折り曲げた腕板を形成し、この腕板と隣設する他方の抱持金具の端部の腕板とで、並行腕板を構成することを特徴とするものであり、請求項５にかかる発明は、丸柱に対して遠心方向に折り曲げたことを特徴とするものである。
【０００８】
本発明の請求項６に係る基礎石に立設した柱の補強装置は、前記発明において、複数の抱持金具の抱持部で柱を抱持するものとし、抱持部の端部に、隣設する他方の抱持金具の端部と互いに連結する外側への折曲片を設け、折曲片同士を当接して止着具で連結したことを特徴とするものである。
【発明の効果】
【０００９】
本発明の請求項１に係る基礎石に立設した柱の補強装置は、基礎石に立設した柱を抱持金具の抱持部でパッキン材を介在させて抱持したため、柱に直接抱持するのに比べ柱に損傷をあたえず、パッキン材の厚さを選択することで強固に抱持することが可能となり、更に振動を吸収する効果も得られる。
【００１０】
抱持金具に二枚組の並行腕板を柱の周囲に複数組突設し、各並行腕板と対応して配設した前記ベース金具の二枚組の並行受板とを一直線上に突合し、突合した両並行板間にパッキン材を挟装し、更に突合した両並行板の外側面に連結補強板を当接して止着具で締着したものであるから、抱持金具とベース金具は強固な連結となり、パッキン材を挟装したことにより緩衝作用も得られ、二枚組の連結部を周囲に複数配置したことで揺動に対して充分に耐えられる補強となる。
【００１１】
そして、ベース金具は、基礎石に近接して敷設した布コンクリートに固定したアンカーボルトで固定して設置したものであるから、ベース金具と基礎石の揺れは同等であり、ベース金具に連結した柱も従動するため、柱は基礎石からずれたり脱落するのを防止できる効果を有するのであり、不定形の基礎石と柱を直接連結することなく補強することができるのである。
【００１２】
請求項２に係る基礎石に立設した柱の補強装置は、上記ベース金具の並行受板を、並行受板を突設した受金具をベース金具に上下位置決め自在に当着して形成するため、当着する上下位置を選択でき、抱持金具の並行腕板と対応して配設した前記ベース金具の二枚組の並行受板とを一直線上に突合を容易に行えるものとなる。
【００１３】
請求項３は、上記並行腕板及び並行受板が垂直面に位置することは、横揺れに対して柔軟に対応できるものとなる。
【００１４】
請求項４は、複数の抱持金具の抱持部で柱を抱持するものとし、抱持部の端部に、角柱に対して直角方向に折り曲げた腕板を形成し、この腕板と隣設する他方の抱持金具の端部の腕板とで、並行腕板を構成することで、複数の抱持金具同士の連結部を、並行腕板を形成する腕板で兼用でき、金具形状の簡略化とコストの低廉化を図る効果を有する。
請求項５は、丸柱に対しても同様の効果を得られるものとなる。
【００１５】
請求項６は、前記発明において、複数の抱持金具の抱持部で柱を抱持するものとし、抱持部の端部に、隣設する他方の抱持金具の端部と互いに連結する外側への折曲片を設け、折曲片同士を当接して止着具で連結したものであり、柱への抱持金具の装着を確実容易に行えるものである。
【発明を実施するための最良の形態】
【００１６】
次に本発明の実施の形態を図面に基づいて説明する。
図１は本発明の一実施の形態を示す平面図であり、図２は図１のＡ−Ａ線断面図である。
柱１は独立した基礎石２に載置した恰好で立設されている。
また、柱１に補強装置として、柱１の下部にパッキン材１１を介在して抱着した抱持部４を有する抱持金具３、布コンクリート６のアンカーボルト７に取り付け固定されたベース金具８より構成する。
【００１７】
そして、ベース金具８から並行に突設した二本の受板９、９と、前記抱持金具３から並行に伸びる二本の腕板５、５とが突設するように位置し、両板に跨って連結板１０、１０が当接し、二本の平行な受板９、９及び腕板５、５間に挟装されているパッキン材１１共々、止着具１２を貫通して締着し、抱持金具３とベース金具８とを一体に連結している。
【００１８】
布コンクリート６は基礎石２の近傍に敷設し、アンカーボルト７を埋設しベース金具８の底板８Ａに穿設した取り付け孔１３に挿通してボルト締めして固定する。
布コンクリート６はベース金具８を設置する辺りに部分的に敷設してもよいが、基礎石２の周囲にすることで基礎石２共々固結するのもよい。
【００１９】
図３はベース金具８の斜視図であり、ベース金具８は、底板８Ａにリブ８Ｂで固定した起立板８Ｃから平行な二枚の受板９、９が垂直面を形成して突設し、受板９、９の間にはパッキン材１１が挿着可能であり、連結板１０、１０を当着するための止着用孔９Ａが適宜位置に設け、パッキン材１１にも対応した透孔が設けられるものである。
【００２０】
図４は抱持金具３の斜視図であり、抱持金具３は、抱持部４と腕板５で構成し、図１及び図２では、四角柱の柱１に対して同一形状の二つの抱持金具３、３が使用されている。
この抱持金具３の抱持部４は、柱１の一面を被設する中央面４Ａと、直角に折曲して隣接する面の夫々略半分の面に被設する左・右面４Ｂ、４Ｂより形成して抱持するものである。
中央面４Ａの非抱持面側に平行な二枚の腕板５、５が垂直面を形成して突設し、受板５、５の間にはパッキン材１１が挿着可能であり、連結板１０、１０を当着するための止着用孔５Ａが適宜位置に設けてあり、パッキン材１１にも対応した透孔が設けられるものである。
また、左・右面４Ｂ、４Ｂの端部は、非抱持面側に折曲して腕板５が形成され、連結板１０を当着するための止着用孔５Ａが前記と同様に適宜位置に設けてあり、もう一方の抱持金具３の左・右面４Ｂ、４Ｂの端部に折曲して形成した腕板５と対面して、平行な二枚の腕板５、５を形成するのである。
【００２１】
図５は連結板１０の斜視図であり、突合した受板９、９と腕板５、５の外側面を被覆できる長さおよび上下幅を有し、両板の前記止着用孔９Ａ及び５Ａに対応する止着用孔１０Ａを有する。
この止着用孔１０Ａを長孔としておけば受板９と腕板５の突合の上下誤差をカバーできるものとなる。
【００２２】
図６はベース金具において、他の実施の形態の受板９１を示す斜視図であり、ベース金具８とは別体で形成したものであり、調節板９２に平行な二枚の受板９１、９１が垂直面を形成して突設し、受板９１、９１の間にはパッキン材１１が挿着可能であり、連結板１０、１０を当着するための止着用孔９１Ａが適宜位置に設けられ、パッキン材１１にも対応した透孔が設けられるものである。
また、調節板９２の左右部に長孔９２Ａを設け、ベース金具の起立板８Ｃに穿設した取付用孔（図示せず）へ上下調節可能にボルト・ナット等で当着するものである。
【００２３】
図７は他の実施の形態を示す平面図であり、ベース金具８を周囲の全面に配置することが、地勢上困難な場合や、環境上好ましくない時等の一実施の形態例を示す。
図面では、四角柱１の隣接する二面にのみ対向してベース金具８を配置したものであり、二つの抱持金具３１、３２でパッキン材１１を介在させた柱１を包持している。
【００２４】
一方の抱持金具３１は、布コンクリート６のアンカーボルト７に固定したベース金具８、８に対面して位置決めされ、柱１の一角を形成する隣接面に被設する平面Ｌ字型の抱持部４１と、ベース金具８、８の各受板９、９、９、９に突合する腕板５１、５１、５１、５１を有し、抱持部４１の両端は被設面の非隣接側角の手前位置まで被設して、外側へ折曲した連結用折曲片４１Ａ、４１Ａが形成され、連結用透孔を穿設してある。
また、他方の抱持金具３２は、抱持金具３１が被設する面の非隣接側角近傍の残余部、及び他の面を被設する形態に折曲した抱持部４２と成り、両端部は把持金具３１の連結用折曲片４１Ａ、４１Ａと互いに当接する連結用折曲片４２Ａ、４２Ａが形成され、連結用透孔を穿設してある。
【００２５】
図７では、ベース金具を２箇所に配置したものであるが、３箇所とすることも可能であり、抱持金具を適宜組み合わせて対応することができる。
また、図面の実施形態に基づき本発明を説明したが、本発明は上記実施形態に何ら限定されるものではなく、本発明の趣旨を逸脱しない範囲内で種々改良変形が可能であることは容易に推察できるものである。
【図面の簡単な説明】
【００２６】
【図１】本発明の一実施の形態を示す平面図である。
【図２】図１のＡ−Ａ線断面図である。
【図３】ベース金具の一実施の形態を示す斜視図である。
【図４】抱持金具の一実施の形態を示す斜視図である。
【図５】連結板の一実施の形態を示す斜視図である。
【図６】ベース金具の他の実施の形態を示す斜視図である。
【図７】本発明の他の実施の形態を示す平面図である。
【符号の説明】
【００２７】
１                  柱
２                  基礎石
３、３１、３２      抱持金具
４、４１、４２      抱持部
４Ａ                中央面
４Ｂ                左右面
４１Ａ、４２Ａ      連結用折曲片
５、５１            腕板
５Ａ、９Ａ、１０Ａ  止着用孔
６                  布コンクリート
７                  アンカーボルト
８                  ベース金具
８Ａ                底板
８Ｂ                リブ
８Ｃ                起立板
９、９１            受板
９２                調節板
９２Ａ              長孔
１０                連結板
１１                パッキン材
１２                止着具
１３                取り付け孔
【図１】
2009068307.tif 000003
【図２】
2009068307.tif 000004
【図３】
2009068307.tif 000005
【図４】
2009068307.tif 000006
【図５】
2009068307.tif 000007
【図６】
2009068307.tif 000008
【図７】
2009068307.tif 000009